【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
電力線導体に沿った様々な位置で前記電力線導体に光ファイバケーブルを固定する、複数のクランプ装置であって、前記複数のクランプ装置の各々は監視装置を備え、前記監視装置が、
前記監視装置の位置で少なくとも１つの物理特性を検出する、少なくとも１つの検出コンポーネント、
前記少なくとも１つの物理特性を示すデータを無線で送信する、送信機、および
少なくとも１つの他の監視装置からの前記少なくとも１つの物理特性を示すデータを無線で受信する、受信機
を備え、前記送信機は、前記少なくとも１つの他の監視装置からの前記少なくとも１つの物理特性を示す前記データを再送信する、複数のクランプ装置と、
データ注入装置を備える光ファイバ接続ケースであって、前記データ注入装置が、
前記電力線導体に沿った前記様々な位置で前記監視装置によって検出された前記少なくとも１つの物理特性を示す前記データを無線で受信し、
前記データを光信号に変換し、
前記光信号を、データ収集サブシステムに伝送するために前記光ファイバケーブルに注入する、
光ファイバ接続ケースと
を備える、システム。
【請求項２】
前記複数のクランプ装置の前記監視装置は、無線通信ネットワークを形成する、請求項１に記載のシステム。
【請求項３】
前記少なくとも１つの物理特性は、前記電力線導体上で運ばれる電力の少なくとも１つの電気的特性を含む、請求項１に記載のシステム。
【請求項４】
前記電力線導体上で運ばれる電力の前記少なくとも１つの電気的特性は、電圧、および電流のうちの少なくとも１つを含む、請求項３に記載のシステム。
【請求項５】
前記少なくとも１つの物理特性は、前記電力線導体を含む環境の少なくとも１つの特性を含む、請求項１に記載のシステム。
【請求項６】
前記電力線導体を含む前記環境の前記少なくとも１つの特性は、温度、湿度、および風速のうちの少なくとも１つを含む、請求項５に記載のシステム。
【請求項７】
前記光ファイバケーブルが、第１の部分および第２の部分を備え、
前記光ファイバ接続ケースは、前記光ファイバケーブルの前記第１の部分および前記第２の部分の対応する光ファイバの端部を光学的に連結するスプライストレイを備える、請求項１に記載のシステム。
【請求項８】
前記データ注入装置が、
前記データを前記光信号に変換する電気−光信号変換器、および
前記光ファイバケーブルの前記第１の部分または前記第２の部分の前記光ファイバのシングルファイバの単一波長に、前記光信号を注入する、光アド／ドロップマルチプレクサ
を備える、請求項７に記載のシステム。
【請求項９】
前記電気−光信号変換器が、
前記データを電子インタフェースプロトコル信号に変換する、電子インタフェースプロトコルトランシーバ、および
前記電子インタフェースプロトコル信号を単一波長光信号に変換する、シングルファイバ単一波長光トランシーバ
を備える、請求項８に記載のシステム。
【請求項１０】
前記シングルファイバ単一波長光トランシーバが、小型フォームファクタプラグ可能トランシーバを備える、請求項９に記載のシステム。
【請求項１１】
前記監視装置のうちの少なくとも１つが、
前記電力線導体上で運ばれる電力の特性を検出する検出回路、および
通信タイミング回路であって、前記電力線導体に沿った複数の前記監視装置のうちの前記少なくとも１つの各々の位置における少なくとも１つの物理特性を示す前記データを、前記電力線導体上で運ばれる電力の前記特性に基づくタイミングに従って、前記監視装置のうちの前記少なくとも１つの前記送信機に無線で送信させる、通信タイミング回路
を備える、請求項１に記載のシステム。
【請求項１２】
前記検出回路によって検出される前記電力線導体上を運ばれる電力の前記特性は、前記電力線導体上で運ばれる電圧のゼロクロスを含む、請求項１１に記載のシステム。
【請求項１３】
前記データ注入装置が、
前記電力線導体上で運ばれる電力の特性を検出する検出回路、および
前記監視装置のうちの少なくとも１つからの前記少なくとも１つの物理特性を示す前記データを、前記電力線導体上で運ばれる電力の前記特性に基づくタイミングに従って、前記データ注入装置に無線で受信させる、通信タイミング回路
を備える、請求項１１に記載のシステム。
【請求項１４】
前記監視装置のうちの少なくとも１つの前記少なくとも１つの検出コンポーネントのうちの一または複数が、前記電力線導体によって運ばれる電流または電圧のサイクルごとに複数回、前記少なくとも１つの物理特性をサンプリングする、請求項１に記載のシステム。
【請求項１５】
電力線導体に関連する少なくとも１つの物理特性を、複数の監視装置によって検出することであって、前記電力線導体に沿った様々な位置で前記電力線導体に光ファイバケーブルを固定する複数のクランプ装置の各々が、前記複数の監視装置のうちの１つを備える、複数の監視装置によって検出すること、
関連する監視装置で検出された、前記電力線導体に関連する前記少なくとも１つの物理特性を示すデータを、前記複数の監視装置の各々によって無線で送信すること、
前記複数の監視装置のうちの少なくとも１つの他の監視装置によって検出された、前記電力線導体に関連する前記少なくとも１つの物理特性を示す前記データの一部を、前記複数の監視装置のうちの少なくとも１つによって無線で受信し、再送信すること
前記複数の監視装置で検出された、前記電力線導体に関連する前記少なくとも１つの物理特性を示す前記データを、光ファイバ接続ケースのデータ注入装置によって無線で受信すること、
前記データ注入装置によって前記データを光信号に変換すること、および
前記データ注入装置によって、前記光信号を、データ収集サブシステムに伝送するために、前記光ファイバケーブルに注入すること
を含む、方法。
【請求項１６】
前記複数の監視装置が無線通信ネットワークを形成する、請求項１５に記載の方法。
【請求項１７】
前記複数の監視装置のうちの少なくとも１つによって、前記電力線導体上で運ばれる電力の特性を検出することをさらに含み、前記電力線導体に関連する前記少なくとも１つの物理特性を示す前記データを前記複数の監視装置のうちの前記少なくとも１つによって無線で送信するタイミングは、前記電力線導体上で運ばれる電力の前記特性を検出することに基づく、請求項１５に記載の方法。
【請求項１８】
光ファイバケーブルを電力線導体の少なくとも一部に沿って設置すること、および
前記光ファイバケーブルに沿った対応する位置に複数のクランプ装置の各々を設置して、前記光ファイバケーブルを前記電力線導体に固定すること、
を含む方法であって、
前記複数のクランプ装置の各々が監視装置を含み、前記監視装置は、
前記光ファイバケーブルに沿った前記対応する位置にある前記電力線導体に関連付けられた少なくとも１つの物理特性を検出し、
前記光ファイバケーブルに沿った前記対応する位置で検出された、前記電力線導体に関連付けられた前記少なくとも１つの物理特性を示すデータを、無線で送信し、
前記光ファイバケーブルに沿った一または複数の他の位置で検出された、前記電力線導体に関連付けられた少なくとも１つの物理特性を示す前記データの少なくとも一部を、無線で受信し、再送信する、方法。
【請求項１９】
データ注入装置を備える光ファイバ接続ケースを設置することをさらに含み、前記データ注入装置は、
前記少なくとも１つの物理的特性を示す前記データを無線で受信し、前記データを光信号に変換し、
データ収集サブシステムに伝送するために、前記光信号を前記光ファイバケーブルに注入する、請求項１８に記載の方法。